(57)【要約】【課題】位置をより早く正確に特定することのできる位置特定装置、位置特定システム、位置特定方法及びプログラムを提供すること。【解決手段】複数の目標物に関する情報のユーザによる入力を受け付ける入力部と、目標物を特定可能な情報を参照して複数の目標物それぞれを中心とする円どうしの重なりを求める検索部と、円どうしの重なりを出力する出力部と、を有する位置特定装置。【選択図】      図１
2015165358.tif 000002
【特許請求の範囲】
【請求項１】
複数の目標物に関する情報のユーザによる入力を受け付ける入力部と、
目標物を特定可能な情報を参照して前記複数の目標物それぞれを中心とするエリアどうしの重なりを求める検索部と、
前記エリアどうしの重なりを出力する出力部と、を有する位置特定装置。
【請求項２】
前記検索部は、前記複数の目標物のうち前記目標物を特定可能な情報の量が最も少ない目標物から検索を開始する、請求項１に記載の位置特定装置。
【請求項３】
前記エリアは円で示され、前記円の半径は可変である請求項１又は２に記載の位置特定装置。
【請求項４】
前記入力部は、携帯端末を有する通報者から取得した複数の目標物に関する情報の入力を受け付け、
前記検索部は、前記携帯端末の位置情報を利用して円を作成し、当該作成した円及び前記複数の目標物それぞれを中心とする円どうしの重なりを求める請求項３に記載の位置特定装置。
【請求項５】
前記検索部は、一点で表すことのできない目標物を特定可能な情報であり、且つポリゴンで表現された情報を検索に利用する、請求項１乃至４のいずれか一項に記載の位置特定装置。
【請求項６】
目標物を特定可能な情報を記憶する記憶部をさらに有し、
前記検索部は、前記記憶部から前記目標物を特定可能な情報を読み出す、請求項１乃至５のいずれか一項に記載の位置特定装置。
【請求項７】
入力部、検索部及び出力部を有する位置特定システムにおける位置特定方法であって、
入力部によりユーザによる複数の目標物に関する情報の入力を受け付ける入力ステップと、
検索部により目標物を特定可能な情報を参照して前記複数の目標物それぞれを中心とするエリアどうしの重なりを求める検索ステップと、
出力部により前記エリアどうしの重なりを出力する出力ステップと、を含む位置特定方法。
【請求項８】
前記検索ステップにおいて、前記複数の目標物のうち前記目標物を特定可能な情報の量が最も少ない目標物から検索する、請求項７に記載の位置特定方法。
【請求項９】
複数の目標物に関する情報のユーザによる入力を受け付ける入力部と、
目標物を特定可能な情報を参照して前記複数の目標物それぞれを中心とするエリアどうしの重なりを求める検索部と、
前記エリアどうしの重なりを出力する出力部と、を有する位置特定システム。
【請求項１０】
記憶部を有する位置特定システムにおいて用いられるプログラムであって、コンピュータに、
ユーザによる複数の目標物に関する情報の入力を受け付ける入力処理と、
前記記憶部に記憶されており、且つ目標物を特定可能な情報を参照して前記複数の目標物それぞれを中心とするエリアどうしの重なりを求める検索処理と、
前記エリアどうしの重なりを出力する出力処理と、を実行させるプログラム。
【発明の詳細な説明】
【技術分野】
【０００１】
本発明は、位置特定装置、位置特定システム、位置特定方法及びプログラムに関する。
【背景技術】
【０００２】
近年、警察や消防指令センター等のコールセンターへの携帯電話からの通報が増加している。これらのコールセンターにおいて、通報場所を特定する手段として、建物等の目標物の種類、名称、緯度経度等で構成される目標物情報を利用した検索が行われている。
【０００３】
特許文献１には、音声認識処理装置で文字データ化した音声認識情報と、地図検索装置のデータベースの目標物データとを逐次参照することで、通報者または受付者の発する言葉に含まれる目標物データを自動抽出する地図検索システムが開示されている。目標物データベースには、目標物の名称や種別、住所等が対応付けられたデータが登録されている。
【０００４】
また、携帯電話の位置情報を利用して通報場所を特定する方法もある。
【先行技術文献】
【特許文献】
【０００５】
【特許文献１】特開２０１１−２２１５９１号公報
【発明の概要】
【発明が解決しようとする課題】
【０００６】
しかし、関連技術には以下の問題があった。すなわち、通報者が通報場所の住所や通報点付近に存在する目標物の明確な情報を把握している場合は、正確に通報場所を伝えることができる。しかし、そうでない場合は、通報者が通報場所を伝えることができない可能性があった。また、目標物がチェーン店等である場合、チェーン店は複数存在するため、チェーン店名だけでは通報場所を特定することができない可能性があった。
【０００７】
また、目標物の候補が複数存在する場合には、候補となった目標物の地点を地図等に表示し、その付近に追加の目標物が存在しないかどうかを確認していた。このため、通報場所の特定に非常に時間がかかるケースがあった。
【０００８】
さらに、携帯電話の位置情報を利用する方法では、誤差が大きかったり、通知されなかったりと通報場所を正確に特定するまでに至っていない。
【０００９】
本発明は、上述した課題を解決する位置特定装置、位置特定システム、位置特定方法及びプログラムを提供することを目的とする。
【課題を解決するための手段】
【００１０】
本発明の位置特定装置は、複数の目標物に関する情報のユーザによる入力を受け付ける入力部と、目標物を特定可能な情報を参照して複数の目標物それぞれを中心とするエリアどうしの重なりを求める検索部と、エリアどうしの重なりを出力する出力部と、を有する。
【００１１】
本発明の位置特定方法は、入力部、検索部及び出力部を有する位置特定システムにおける位置特定方法であって、入力部によりユーザによる複数の目標物に関する情報の入力を受け付ける入力ステップと、検索部により目標物を特定可能な情報を参照して複数の目標物それぞれを中心とするエリアどうしの重なりを求める検索ステップと、出力部によりエリアどうしの重なりを出力する出力ステップと、を含む。
【００１２】
本発明の位置特定システムは、複数の目標物に関する情報のユーザによる入力を受け付ける入力部と、目標物を特定可能な情報を参照して複数の目標物それぞれを中心とするエリアどうしの重なりを求める検索部と、エリアどうしの重なりを出力する出力部と、を有する。
【００１３】
本発明のプログラムは、記憶部を有する位置特定システムにおいて用いられるプログラムであって、コンピュータに、ユーザによる複数の目標物に関する情報の入力を受け付ける入力処理と、記憶部に記憶されており、且つ目標物を特定可能な情報を参照して複数の目標物それぞれを中心とするエリアどうしの重なりを求める検索処理と、エリアどうしの重なりを出力する出力処理と、を実行させる。
【発明の効果】
【００１４】
本発明によれば、位置をより早く正確に特定することのできる位置特定装置、位置特定システム、位置特定方法及びプログラムを提供することができる。
【図面の簡単な説明】
【００１５】
【図１】第１の実施形態にかかる位置特定装置１００の構成を示す図である。
【図２】第１の実施形態にかかる位置特定装置１００の動作を説明するフロー図である。
【図３】第２の実施形態にかかる位置特定システム２０００の構成を示す図である。
【図４】第２の実施形態にかかる位置特定システム２０００の構成を示す図である。
【図５】第２の実施形態にかかる位置特定システム２０００の動作を説明するフロー図である。
【発明を実施するための形態】
【００１６】
［第１の実施形態］
図１は、第１の実施形態にかかる位置特定装置１００の構成を示す図である。位置特定装置１００は、入力部１０１、検索部１０２、及び出力部１０３を有する。
【００１７】
入力部１０１は、ユーザによる複数の目標物に関する情報の入力を受け付ける。入力インターフェースとしては、例えばマイクやキーボード、タッチパネル等が用いられる。
【００１８】
検索部１０２は、目標物を特定可能な情報を参照して、複数の目標物それぞれを中心とする複数のエリアどうしの重なりを求める。目標物を特定可能な情報は、例えば位置特定装置１００の外部に設けられ、かつ位置特定装置１００に接続可能な記憶部（例えばデータベースやファイルシステム等）に記憶されている。
【００１９】
出力部１０３は、検索部１０２が求めたエリアどうしの重なりを出力する。出力インターフェースとしては、例えばディスプレイやスピーカー等が用いられる。
【００２０】
続いて、図２を用いて本実施形態にかかる位置特定装置１００の動作を説明する。ここでは、検索部１０２が、目標物を特定可能な情報を参照して、複数の目標物それぞれを中心とする複数の円どうしの重なりを求めるものとして説明する。
【００２１】
入力部１０１は、ユーザより複数の目標物に関する情報の入力を受け付ける（ステップＳ１）。検索部１０２は、ステップＳ１で受け付けた情報における複数の目標物を特定可能な情報を取得する（ステップＳ２）。そして、取得した情報に基づいて複数の目標物それぞれを中心とする円を作成し（ステップＳ３）、円どうしの重なりを求める（ステップＳ４）。
【００２２】
本実施形態にかかる位置特定装置１００によれば、複数の目標物それぞれを中心とするエリアどうしの重なりを求めることにより位置を特定する。これにより、一意に位置を特定することができる情報を取得することができない場合であっても、位置をより早く正確に特定することができる。
【００２３】
また、検索部１０２が求めたエリアどうしの重なりを出力する出力部１０３を有することにより、ユーザによる検索結果の確認を支援することができる。
【００２４】
上記説明では、位置特定装置の外部に記憶部を設ける構成について説明した。しかし、位置特定装置に記憶部を設ける構成としてもよい。
【００２５】
［第２の実施形態］
図３及び４は、第２の実施形態にかかる位置特定システム２０００の構成を示す図である。位置特定システム２０００は、ＰＣ（パーソナルコンピュータ）２００及びサーバー３００を含む。ＰＣ２００とサーバー３００とは、例えばインターネットで接続されている。
【００２６】
ＰＣ２００の入力部２０１は、「設定条件」、「検索距離」、「任意エリア」等の条件の入力を受け付ける。ここで、「設定条件」は、目標物の種類や名称等検索に使用する条件（学校、店、神社等）である。「検索距離」は、目標物間の距離がどのくらいの範囲内である場合に両方が見える位置であると判断するか決める値である。「任意エリア」は、検索エリアを絞り込むために使用する条件である。
【００２７】
検索部２０２は、サーバー３００内のＤＢ（データベース）（後述）から目標物に関する情報を取得し、当該取得した情報と入力部２０１により受け付けた条件とに基づいて通報点の検索を実施する。検索方法は後に詳細に説明する。
【００２８】
出力部２０３は、検索部２０２による検索結果を出力する。出力の方法としては、例えばＰＣ２００のディスプレイに一覧表示又は地図上への候補エリアの表示により表示することが考えられる。また、音声出力も考えられる。
【００２９】
サーバー３００は、ＤＢを有する。ＤＢは、目標物を特定可能な情報を表すテーブルを保持している。図３に示すように、テーブルのカラムには、「ＮＯ」、「種類」、「名称」、「緯度」、「経度」等の情報が目標物ごとに対応づけられて保持されている。ここで、「ＮＯ」は、目標物の番号を表す。「種類」は、店、神社、学校等目標物の種類（属性）を表す。「名称」は、目標物の具体的な名称を表す。「緯度」及び「経度」は、目標物の位置を表す。
【００３０】
続いて、図４を用いて位置特定システム２０００の動作を説明する。以下の説明では、警察や消防指令センター等のコールセンターに通報があった場合を例に説明する。
【００３１】
位置特定システム２０００のユーザは通報者から通報を受け、通報点に関する情報をヒアリングする。ヒアリングにより得た情報の中に通報点の明確な住所や目標物情報などが含まれているかどうか、すなわち、一意に通報点を特定することができるか否かを確認する（ステップＳ１１）。一意に通報点を特定できる場合は（ステップＳ１１でＹＥＳ）、関連技術の目標物検索を実施し（ステップＳ１２）、通報点を決定する（ステップＳ１３）。一意に通報点を特定できない場合は（ステップＳ１１でＮＯ）、複数目標物エリア検索に移行する（ステップＳ１４）。
【００３２】
ユーザは通報者より通報点から見える目標物に関する情報についてさらにヒアリングを行い、一意に決まらない目標物の種類（学校、コンビニ、駅等）や名称（チェーン店名）等の情報を集める。集めた情報から、目標物の種類、名称を検索条件として複数設定する（ステップＳ１５）。そして、ＤＢの目標物に関する情報のテーブルから、ステップＳ１５において検索条件として設定された目標物の種類や名称に該当する目標物のうち検索エリア内に含まれている目標物の数（候補数）を求める（ステップＳ１６）。ここで検索エリアとは、例えば「渋谷１丁目」等、通報者からヒアリングした大まかな検索エリアをいう。
【００３３】
また、ある目標物から他の目標物が見えるか否かを判断するため、検索距離を設定する（ステップＳ１７）。検索距離とは、ここでは、ある目標物を中心として円を作成する場合の円の半径である。この円内に他の目標物が入った場合に、互いの目標物を確認することができると判断する。検索距離は、任意の距離に設定することができる。
【００３４】
ステップＳ１６で求めた候補数が最も少ない目標物の種類、名称から順番に以下に示す組み合わせの検索（円の重なり合わせ検索）を行う（ステップＳ１８）。組み合わせの検索とは、ある目標物を中心とし、且つ検索距離を半径とする円内に、他の目標物の種類、名称に該当する目標物が含まれているケースが存在するか否かを検索することである（ステップＳ１９）。検索の結果、ある目標物を中心とし、且つ検索距離を半径とする円内に他のすべての目標物が含まれているケースが存在する場合（ステップＳ２０でＹＥＳ）、当該円を候補エリアとし、得られた候補エリアの一覧を表示する。一覧からある円が選択された場合に、円内に含まれる複数の目標物それぞれを中心とする円の重なり合った部分を地図上に表示する（ステップＳ２１）。
【００３５】
ここで、例として、目標物の種類と候補数が以下のようになった場合について説明する。
学校：３０件
コンビニ：５０件
駅：３件
この場合、候補数が最も少ない「３．駅」から順に、「１．学校」、「２．コンビニ」の順に検索を実施する。すなわち、まず、「３．駅」３件のうちの１件を中心とする円内に「１．学校」が存在するか否か検索を行う。「１．学校」が存在する場合、「３．駅」と「１．学校」と「２．コンビニ」がすべて当該円内に存在するケースがあるか否か検索を行う。この検索の結果、同一円内に「３．駅」と「１．学校」と「２．コンビニ」の組み合わせがあるエリアが候補エリアとなる。
【００３６】
本実施形態にかかる位置特定システムによれば、複数の目標物それぞれを中心とした円を作成し、円どうしの重なりを求めることにより通報点を特定する。これにより、通報者より一意に通報点を特定することができる情報を取得することができない場合であっても、通報点をより早く正確に特定することができる。
【００３７】
また、候補数が最も少ない目標物の種類、名称から順番に以下に示す組み合わせの検索を行うことにより、検索時間の短縮を図ることができる。
【００３８】
また、検索部２０２が求めた円どうしの重なりを出力する出力部１０３を有することにより、ユーザによる検索結果の確認を支援することができる。
【００３９】
組み合わせの検索（ステップＳ１９）の結果、ある目標物を中心とし、且つ検索距離を半径とする円内に他のすべての目標物が含まれているケースが存在しない場合、検索距離を大きくすることができる。検索距離を大きくすることで、より緩和された条件での検索が可能となり、検索の有効性を高めることができる。
【００４０】
上記説明では円を作成する例について説明したが、正円に限らず、楕円、半円、扇形などでもよい。また、ＰＣを用いた例について説明したが、ＰＣに代えて、スマートフォンやタブレット等の携帯端末を用いることもできる。
【００４１】
上記説明では、通報者からのヒアリング結果に基づいて検索エリアを設定した。この他、通報者が所持する携帯端末から得られる位置情報を利用して検索エリアを設定することができる。携帯端末から得られる位置情報としては、ＧＰＳ（Global Positioning System）機能により得られる位置情報等がある。また、候補エリアが複数存在する場合に、通報者が所持する携帯端末から得られる位置情報を利用することにより、候補エリアを絞り込むことができる。この結果、より正確に通報点を特定することができる。
【００４２】
川や道路、線路といった１点で表すことができない目標物をポリゴン又はポリラインで表し、検索に用いることができる。ポリゴン及びポリラインとは、主に３次元コンピュータグラフィックスにおいて、三角形や四角形等の組み合わせで物体を表現する時の各要素を指す。ポリゴン及びポリラインは３次元コンピュータグラフィックスにおいても用いられ、例えば、地理情報システムで地図を描く場合に、領域の輪郭をポリゴンで記述し、道路や鉄道などをポリラインで記述する。川や道路、線路といった目標物を検索に用いることにより、候補エリアを絞り込むことができる。この結果、より正確に通報点を特定することができる。
【００４３】
上記実施形態では、本発明を警察や消防指令センター等のコールセンターにおいて用いる例について説明した。この他、例えば観光地等で観光客が自身の位置を確認したい場合に本発明を適用することができる。
【００４４】
以上、本発明の実施形態について説明したが、本発明は、上記実施形態に限定されるものではなく、本発明の趣旨を逸脱しない限りにおいて、他の変形例、応用例を含むことは言うまでもない。
【００４５】
上記の実施形態の一部又は全部は、以下のようにも記載されうるが、以下には限られない。
【００４６】
（付記１）
複数の目標物に関する情報のユーザによる入力を受け付ける入力部と、
目標物を特定可能な情報を参照して前記複数の目標物それぞれを中心とするエリアどうしの重なりを求める検索部と、
前記エリアどうしの重なりを出力する出力部と、を有する位置特定装置。
【００４７】
（付記２）
前記検索部は、前記複数の目標物のうち前記目標物を特定可能な情報の量が最も少ない目標物から検索を開始する、付記１に記載の位置特定装置。
【００４８】
（付記３）
前記エリアは円で示され、前記円の半径は可変である付記１又は２に記載の位置特定装置。
【００４９】
（付記４）
前記入力部は、携帯端末を有する通報者から取得した複数の目標物に関する情報の入力を受け付け、
前記検索部は、前記携帯端末の位置情報を利用して円を作成し、当該作成した円及び前記複数の目標物それぞれを中心とする円どうしの重なりを求める付記３に記載の位置特定装置。
【００５０】
（付記５）
前記検索部は、一点で表すことのできない目標物を特定可能な情報であり、且つポリゴンで表現された情報を検索に利用する、付記１乃至４のいずれか一項に記載の位置特定装置。
【００５１】
（付記６）
目標物を特定可能な情報を記憶する記憶部をさらに有し、
前記検索部は、前記記憶部から前記目標物を特定可能な情報を読み出す、付記１乃至５のいずれか一項に記載の位置特定装置。
【００５２】
（付記７）
入力部、検索部及び出力部を有する位置特定システムにおける位置特定方法であって、
入力部によりユーザによる複数の目標物に関する情報の入力を受け付ける入力ステップと、
検索部により目標物を特定可能な情報を参照して前記複数の目標物それぞれを中心とするエリアどうしの重なりを求める検索ステップと、
出力部により前記エリアどうしの重なりを出力する出力ステップと、を含む位置特定方法。
【００５３】
（付記８）
前記検索ステップにおいて、前記複数の目標物のうち前記目標物を特定可能な情報の量が最も少ない目標物から検索する、付記７に記載の位置特定方法。
【００５４】
（付記９）
前記エリアは円で示され、前記円の半径は可変である付記７又は８に記載の位置特定方法。
【００５５】
（付記１０）
前記入力ステップにおいて、携帯端末を有する通報者から取得した複数の目標物に関する情報の入力を受け付け、
前記検索ステップにおいて、前記携帯端末の位置情報を利用して円を作成し、当該作成した円及び前記複数の目標物それぞれを中心とする円どうしの重なりを求める付記９に記載の位置特定方法。
【００５６】
（付記１１）
前記検索ステップにおいて、一点で表すことのできない目標物を特定可能な情報であり、且つポリゴンで表現された情報を検索に利用する、付記７乃至１０のいずれか一項に記載の位置特定方法。
【００５７】
（付記１２）
複数の目標物に関する情報のユーザによる入力を受け付ける入力部と、
目標物を特定可能な情報を参照して前記複数の目標物それぞれを中心とするエリアどうしの重なりを求める検索部と、
前記エリアどうしの重なりを出力する出力部と、を有する位置特定システム。
【００５８】
（付記１３）
前記検索部は、前記複数の目標物のうち前記目標物を特定可能な情報の量が最も少ない目標物から検索を開始する、付記１２に記載の位置特定システム。
【００５９】
（付記１４）
前記エリアは円で示され、前記円の半径は可変である付記１２又は１３に記載の位置特定システム。
【００６０】
（付記１５）
前記入力部は、携帯端末を有する通報者から取得した複数の目標物に関する情報の入力を受け付け、
前記検索部は、前記携帯端末の位置情報を利用して円を作成し、当該作成した円及び前記複数の目標物それぞれを中心とする円どうしの重なりを求める付記１４に記載の位置特定システム。
【００６１】
（付記１６）
前記検索部は、一点で表すことのできない目標物を特定可能な情報であり、且つポリゴンで表現された情報を検索に利用する、付記１２乃至１５のいずれか一項に記載の位置特定システム。
【００６２】
（付記１７）
目標物を特定可能な情報を記憶する記憶部をさらに有し、
前記検索部は、前記記憶部から前記目標物を特定可能な情報を読み出す、付記１２乃至１６のいずれか一項に記載の位置特定システム。
【００６３】
（付記１８）
記憶部を有する位置特定システムにおいて用いられるプログラムであって、コンピュータに、
ユーザによる複数の目標物に関する情報の入力を受け付ける入力処理と、
前記記憶部に記憶されており、且つ目標物を特定可能な情報を参照して前記複数の目標物それぞれを中心とするエリアどうしの重なりを求める検索処理と、
前記エリアどうしの重なりを出力する出力処理と、を実行させるプログラム。
【００６４】
（付記１９）
前記検索処理において、前記複数の目標物のうち前記目標物を特定可能な情報の量が最も少ない目標物から検索を開始する、付記１８に記載のプログラム。
【００６５】
（付記２０）
前記エリアは円で示され、前記円の半径は可変である付記１８又は１９に記載のプログラム。
【００６６】
（付記２１）
前記入力処理において、携帯端末を有する通報者から取得した複数の目標物に関する情報の入力を受け付け、
前記検索処理において、前記携帯端末の位置情報を利用して円を作成し、作成した円及び前記複数の目標物それぞれを中心とする円どうしの重なりを求める付記２０に記載のプログラム。
【００６７】
（付記２２）
前記検索処理において、一点で表すことのできない目標物を特定可能な情報であり、且つポリゴンで表現された情報を検索に利用する、付記１８乃至２１のいずれか一項に記載のプログラム。
【符号の説明】
【００６８】
１００    位置特定装置
１０１、２０１    入力部
１０２、２０２    検索部
１０３、２０３    出力部
２００    ＰＣ
３００    サーバー
２０００    位置特定システム
【図１】
2015165358.tif 000003
【図２】
2015165358.tif 000004
【図３】
2015165358.tif 000005
【図４】
2015165358.tif 000006
【図５】
2015165358.tif 000007